(57)【要約】【課題】トレーをスリーブに挿入して閉じた際にトレーの抜け落ちを確実に防止できるスライド式カートンを提供する。【解決手段】スリーブ１０とその前側の開口から摺動可能に挿入されるトレー２０からなり、収納時に後方への移動を阻止する抜止め手段を有しており、さらに、トレー２０は、底板２１または左右の側板２２のいずれかに、後側の端縁からの切抜きにより後側の端縁をヒンジとするフラップ２３が形成されるとともに、フラップ２３を形成した面に脚部２２ｂが突設されており、スリーブ１０には、トレー２０のフラップ２３に対応して内面後側に係止段差部１６ａが形成されており、トレー２０をスリーブ１０に収納した状態では、トレー２０のフラップ２３が曲げの反発力によりその先端がスリーブ１０の係止段差部１６ａに係合する。【選択図】図１
2014055010.tif 000002
【特許請求の範囲】
【請求項１】
スリーブとその前側の開口から摺動可能に挿入されるトレーからなり、収納時に後方への移動を阻止する抜止め手段を有しており、さらに、トレーは、底板または左右の側板のいずれかに、後側の端縁からの切抜きにより後側の端縁をヒンジとするフラップが形成されるとともに、フラップを形成した面に脚部が突設されており、スリーブには、トレーのフラップに対応して内面後側に係止段差部が形成されており、トレーをスリーブに収納した状態では、トレーのフラップが曲げの反発力によりその先端がスリーブの係止段差部に係合することを特徴とするスライド式カートン。
【請求項２】
トレーのフラップを形成する切抜きに幅を持たせたことを特徴とする請求項１に記載のスライド式カートン。
【請求項３】
スリーブのトレーにおけるフラップに対応するところに孔を形成したことを特徴とする請求項１又は２に記載のスライド式カートン。
【請求項４】
トレーにフラップを覆うための延長片を設けたことを特徴とする請求項１〜３のいずれかに記載のスライド式カートン。
【請求項５】
スリーブの前方先端にトレーの底板を押圧するための折返し片を設けたことを特徴とする請求項１〜４のいずれかに記載のスライド式カートン。
【発明の詳細な説明】
【技術分野】
【０００１】
本発明は、板紙からなるカートンの技術分野に属し、詳しくは、菓子類を収納して販売する際に用いられるスライド式カートンに関するものである。
【背景技術】
【０００２】
従来、粒状や棒状の菓子類を収納して販売するためのカートンとして、前後両端が開口した角筒形状のスリーブとこのスリーブ内に摺動自在に挿入される容器としてのトレーとを組み合わせた二重構造のスライド式カートンが用いられている。
【０００３】
このスライド式カートンは、片方の手でスリーブを把持し、もう一方の手でトレーを引き出した状態で内容物を取り出すことができるため、使用上の便利さから消費者に好まれている。そして、消費者が持ち運びすることも多々あることから、引き出されたトレーをスリーブ内に戻した際に、トレーをスリーブに係合させた状態にできる構造にして、カートンが誤って開封するのを防ぐようにしたものが知られている（例えば、特許文献１，２参照）。
【０００４】
特許文献１に記載のものは、トレー状の中舟とスリーブ状の外函からなるスライドオープンパッケージであって、中舟には、その底部先端に外函の横幅より僅かに広い頭板を設けるとともに、その頭板先端に折込み片と折曲片と貼着片を順次設け、貼着片を中舟底板に貼着することで角筒状の頭部を形成し、その頭部の折込み片と折曲片との連設折目上に端を終始する切目を折込み片に設けることで折曲片と連設する突起を形成しており、外函には、中舟を挿嵌して頭部閉塞時に前記突起が当接する外函上面板に切込み部を設けてある。
【０００５】
そして、筒状に成形した外函に中舟を挿入し、頭部を外函の前端部に挿入して閉塞すると、折曲片と連続した突起が折込み片から切り抜かれ、折込み片より突出して自動的に外函上面板に穿設した切込み部に係合させるようになっており、開封するに当たっては、折込み片を押圧することにより、頭部を偏平化して突起と切込み部との係合を解除して中舟を引き出すようになっている。
【０００６】
特許文献２に記載のものは、ケースと当該ケースに収納されるトレーとからなる包装容器であって、特許文献１に記載のパッケージにおける外函の切込み部に代えて、ケースの開口に延長片を設けておき、これをケース内側に折り返して接着することでケースの内側に凸なる第一突起を設けた構成としたものであり、引き出されたトレーを再度ケース内に戻した際に、この第一突起をトレーの頭部（特許文献２では引出部）の突起（特許文献２では係合部）にしっかりと係合させるようにしたものである。また、この文献には、トレーにおける引出部と反対側に、ケースにかかる高さを有する第二突起を設けることも開示されている。
【先行技術文献】
【特許文献】
【０００７】
【特許文献１】特開平７−２４２２３０号公報
【特許文献２】特開２００６−３４７６１１号公報
【発明の概要】
【発明が解決しようとする課題】
【０００８】
上記した特許文献１，２に記載のスライド式カートンは、開封して内容物を取り出した後に、トレーをスリーブ内に押し込むことで元のように再封できるものではあるが、トレーに形成する頭部の組立てが面倒であり、その頭部に形成される係止用の突起は外函の内面に対して直角であるため、外函の切込み部や突起との係合力が弱く、トレーの抜け落ちを確実に防止することができないという問題点があり、またトレーは頭部の分だけ容量が小さくなるという問題点もある。
【０００９】
本発明は、このような問題点に鑑みてなされたものであり、その目的とするところは、トレーをスリーブに挿入して閉じた際にトレーの抜け落ちを確実に防止できるスライド式カートンを提供することにある。
【課題を解決するための手段】
【００１０】
上記の目的を達成するため、本発明は、スリーブとその前側の開口から摺動可能に挿入されるトレーからなり、収納時に後方への移動を阻止する抜止め手段を有しており、さらに、トレーは、底板または左右の側板のいずれかに、後側の端縁からの切抜きにより後側の端縁をヒンジとするフラップが形成されるとともに、フラップを形成した面に脚部が突設されており、スリーブには、トレーのフラップに対応して内面後側に係止段差部が形成されており、トレーをスリーブに収納した状態では、トレーのフラップが曲げの反発力によりその先端がスリーブの係止段差部に係合することを特徴とする。
【００１１】
そして、上記構成のスライド式カートンにおいて、トレーのフラップを形成する切抜きに幅を持たせることが好ましい。
【００１２】
また、上記構成のスライド式カートンにおいて、スリーブのトレーにおけるフラップに対応するところに孔を形成することが好ましい。
【００１３】
また、上記構成のスライド式カートンにおいて、トレーにフラップを覆うための延長片を設けることが好ましい。
【００１４】
また、上記構成のスライド式カートンにおいて、スリーブの前方先端にトレーの底板を押圧するための折返し片を設けることが好ましい。
【発明の効果】
【００１５】
本発明のスライド式カートンは、トレーをスリーブ内に収納した際に、後方への移動が阻止されるとともに、トレーの後側に形成したフラップがその曲げの反発力でスリーブの内面にある係止段差部に係合するので、トレーのフラップが突っ張る状態でスリーブの係止段差部に係合して前方への移動が確実にロックされることから、前方に引き抜く力が強く作用してもトレーが抜け落ちることがなく、持ち運ぶ際にかばんの中などで誤開封するようなことがない。また、脚部によりスリーブとトレーの間に空間が生じているので、スリーブの外側からトレーのフラップを押し上げる操作を行うことで確実にロック状態を解除することができる。
【００１６】
そして、トレーのフラップを形成する切抜きに幅を持たせることにより、フラップが引っ掛かって動かなくなるのが防止され、確実にロック状態にすることができる。
【００１７】
また、スリーブのトレーにおけるフラップに対応するところに孔を形成することにより、この孔を通してフラップを押し上げることできるので、簡単にフラップのロック状態を外して開封することができる。
【００１８】
また、トレーにフラップを覆うための延長片を設けることにより、フラップがトレー内に突き出るのが防止され、内容物が落ちたり引っ掛かったりするような事態を防ぐことができる。
【００１９】
また、スリーブの前方先端にトレーの底板を押圧するための折返し片を設けることにより、トレーがスリーブ内にあるときには、その折返し片の反発力でトレーに適度なブレーキが掛かった状態になり、また引き抜くときに最後まで引き抜いても、折返し片にトレーのフラップが引っ掛かるので抜け落ちるのを防止することができる。
【図面の簡単な説明】
【００２０】
【図１】本発明に係るスライド式カートンの構成部材であるスリーブとトレーを分離状態で示す斜視図である。
【図２】図１の上段に示すスリーブを組み立てるブランクの展開図である。
【図３】図１の下段に示すトレーを組み立てるブランクの展開図である。
【図４】スリーブとトレーを一体化したスライド式カートンの斜視図である。
【図５】図４のスライド式カートンを裏側から見た状態で示す斜視図である。
【図６】図４のスライド式カートンを開けた状態で示す説明図である。
【発明を実施するための形態】
【００２１】
以下、本発明の実施形態について図面を参照しながら詳細に説明する。
【００２２】
図１はスライド式カートンを構成するスリーブとトレーを分離状態でを示す斜視図であり、図示のように、このスライド式カートンは、前後両端が開口した角筒状のスリーブ１０と、スリーブ１０内に摺動可能に挿入される舟形のトレー２０とからなる。
【００２３】
図２はスリーブ１０を組み立てるブランクの展開図である。このブランクは板紙を図示の形状に打ち抜いたもので、細長状の５つのパネル、すなわち底パネル１１、横パネル１２、上パネル１３、横パネル１４及び内側底パネル１５が折線を介して順次連設された形状をしている。図の右方がカートンの前側になっており、内側底パネル１５にはその後側に直角状の切欠部１６が設けられ、底パネル１１の後側には円形状の孔１７が形成されており、この底パネル１１の孔１７のサイズは、組立て時において内側底パネル１５の切欠部１６に収まる大きさになっている。また、底パネル１１の前端には折返し片１８が延設されており、横パネル１２，１４の前端には内容物を取り出しやすくするために半円状の切欠１２ａ，１４ａが形成されている。
【００２４】
図３はトレー２０を組み立てるブランクの展開図である。このブランクは板紙を図示の形状に打ち抜いたもので、図の右方がカートンの前側になっており、スリーブ１０より僅かに短い長さをした細長状の底板２１が中央に配置され、その両サイドにそれぞれ折線を介して側板２２が連設されている。
【００２５】
底板２１には後側の端縁からの切抜き、ここでは幅が２〜３ｍｍ程度のコの字型の切抜きαにより後側の端縁をヒンジとするフラップ２３が形成されており、このフラップ２３のサイズは、トレー２０をスリーブ１０に挿入した時にスリーブ１０の切欠部１６内に収まる大きさで、しかも先端が切欠部１６にピッタリと合うサイズに設定されている。また、各側板２２には前寄りのところに半円状の切欠２２ａが形成されている。さらに、底板２１と側板２２との境界には、折線の一部が底板２１側に突き出るようにして小さな円弧状の切込みβが設けられており、組立て時においてトレー２０の裏側に側板２２の一部が突き出るようにした脚部２２ｂが形成されるようになっている。
【００２６】
底板２１の前方には折線を介して端板２４と折返し片２５が順次連設されており、組立て時に外側となる端板２４は、スリーブ１０の幅より僅かに大きな幅に設定することで左右に出っ張り部分２４ａを形成している。また、底板２１の後方には折線を介して端板２６と折返し片２７が順次連設され、その折返し片２７の先端には折り曲げやすさを考慮したリード罫を介して延長片２８が延設されている。この延長片２８は、組立て時においてトレー２０の底部後側に位置するもので、フラップ２３をその回りの切抜きαとともに覆うのに十分な大きさに設定されている。また、各側板２２の前後にはそれぞれ折込みフラップ２９が連設されている。
【００２７】
スライド式カートンを作成するには、図２と図３のブランクをそれぞれ組み立てて図１に示すスリーブ１０とトレー２０の形状にする。そして、トレー２０の中に粒状菓子などの内容物を投入し、この内容物を収納した状態のトレー２０をスリーブ１０の前側の開口からその中に挿入する。
【００２８】
図２のブランクをスリーブ１０に組み立てるには、底パネル１１の内面に内側底パネル１５を貼り合わせてサック貼り状態にしておき、トレー２０と組み合わせる時に角筒状に起こす。すなわち、スリーブ１０は、底パネル１１に内側底パネル１５を貼り合わせて起こすことで角筒状になるとともに、二重壁となった底部分では、底パネル１１の内面後側に、内側底パネル１５の切欠部１６により前後方向と直交する方向に係止段差部１６ａが形成される。
【００２９】
一方、図３のブランクからトレー２０を組み立てる手順は次のようである。まず、側板２２を底板２１に対して折り曲げることで起立させる。このように側板２２を起立させると、トレーの前後左右に脚部２２ｂが突き出るようにして形成される。そして、前方では、左右の折込みフラップ２９を内側に折り曲げてから、端板２４と折返し片２５を順次内側に折り曲げることで、両方のフラップ２９を端板２４と折返し片２５の二重壁の間に挟持して糊付けする。また、後方では、左右の折込みフラップ２９を内側に折り曲げてから、端板２６と折返し片２７を順次内側に折り曲げることで、両方のフラップ２９を端板２６と折返し片２７の二重壁の間に挟持して糊付けするとともに、折返し片２７の先端にある延長片２８を外側に折り曲げておく。これにより、折返し片２７は、フラップ２３とその回りの切抜きを覆う状態でトレー２０の底部後側に位置することになり、フラップ２３がトレー内に突き出ることはない。
【００３０】
舟形に組み立てたトレー２０の中に内容物を投入した後、スリーブ１０の折返し片１８を内側に折り返した状態としてから、この折返し片１８を乗り越えるようにして、スリーブ１０の前方からトレー２０の後側を差し込み、そのままトレー２０を押し込むようにしてスリーブ１０の中に挿入する。このようにトレー２０をスリーブ１０の中に挿入すると、トレー２０の裏側に突き出た４つの脚部２２ｂにより、スリーブ１０とトレー２０の間に空間が生じるので、トレー２０の底にあるフラップ２３の可動範囲が大きくなる。
【００３１】
そして、図４及び図５に示すように、トレー２０をスリーブ１０の中にすべて収納すると、トレー２０の前側にある左右の出っ張り部分２４ａがスリーブ２０の先端縁に当接して後方への移動が阻止されるとともに、トレー２０のフラップ２３は曲げの反発力によりその先端がスリーブ１０の切欠部１６に入り込むようにして係止段差部１６ａに係合し、トレー２０はスリーブ１０に対して前方にも動かないロック状態となる。このとき、フラップ２３の回りには切抜きαによる隙間があるので、フラップ２３が引っ掛かって動かなくなるということがない。また、トレー２０がスリーブ１０内にあるときは、反発力のある折返し片１８に突き上げられており、これによって全体に適度なブレーキが掛かった状態になる。
【００３２】
例示したスライド式カートンでは、トレー２０の裏側に脚部２２ｂを突設したが、このような脚部を設けなくても、フラップ２３は少なくとも紙厚の分だけは傾いて係止段差部１６ａに係合する。しかしながら、脚部２２ｂを突設した構成にする方が、スリーブ１０とトレー２０の間に空間が生じることでフラップ２３の逃げ場が確保され、フラップの動く範囲が大きくなってその先端がスリーブ１０の係止段差部１６ａに確実に引っ掛かるようになる。そして、スリーブ１０の外側から係止状態のフラップ２３を押し上げる操作を行うとロック状態が解除されるが、スリーブ１０とトレー２９の間に空間があることによりスリーブ２３の先端が係止段差部１６ａから離れるので、確実にロック状態を解除することができる。
【００３３】
収納状態のスライド式カートンから内容物を取り出すに際しては、一方の手で、スリーブ１０の底パネル１１にある孔１７のところからフラップ２３を押し上げ、フラップ２３の先端をスリーブ１０の係止段差部１６ａから外してロック状態を解除する。底パネル１１に孔１７を設けていない場合は、押圧する箇所にマークを印刷するなどして、底パネル１３の外からフラップ２３を押し上げるようにすればよい。
【００３４】
このようにロック状態を解除した後、もう一方の手で、スリーブ１０の横パネル１２，１４に設けた切欠１２ａ，１４ａのところでトレー２０の出っ張り部分２４ａを把持し、図６に示すように、スリーブ１０からトレー２０を引き出す。このとき、引き出す操作が行き過ぎたとしても、トレー２０のフラップ２３がスリーブ１０の折返し片１８に引っ掛かるので誤って抜け落ちることがない。
【００３５】
スリーブ１０からトレー２０を一部引き出した状態とし、内容物を必要量だけ取り出した後、トレー２０をスリーブ１０に押し込んで再封すると、トレー２０の前側にある左右の出っ張り部分２４ａがスリーブ２０の先端縁に当接するとともに、トレー２０の後側にあるフラップ２３がスリーブ１０の係止段差部１６ａに係合してロック状態となる。
【００３６】
以上、本発明を実施するための形態について、一つの実施形態を挙げて詳細に説明してきたが、本発明によるスライド式カートンは、上記の実施形態に何ら限定されるものではなく、本発明の趣旨を逸脱しない範囲において種々の変更が可能である。
【００３７】
例えば、上記の例では、前後両端が開口した角筒状のスリーブ１０に対してトレー２０が後方へ抜けてしまうのを阻止するため、前側の左右に出っ張り部分２４ａを有するトレー２０を使用したが、収納時に後方への移動を阻止する抜止め手段として、トレー２０にこのような出っ張り分２４ａを設けるのに代え、前側が開口し後側が閉じた角筒状のスリーブを使用するようにしてもよい。また、トレー２０の前側に出っ張り部分を設ける場合、トレー２０の前側の上部や下部に突き出るように設けてもよく、その形状や向きなどは任意である。
【００３８】
また、上記の例では、トレー２０の底板２１にフラップ２３を形成しているが、左右の側板２２のいずれかにフラップを形成するようにしてもよい。この場合、折込みフラップ２９との境界をヒンジとするフラップが形成されることになり、そのフラップを露出させる孔は側板２２に形成することになる。そして、段差係止部は、スリーブ１０の横パネル１２，１４を二重壁として、内側のパネルに切欠部を設けるようにすればよい。また、トレー２０の側面に脚部を突設するには、底板２１と側板２２との境界に、折線の一部が側板２２側に突き出るようにして小さな円弧状の切込みを設けておけばよく、そうすることで、組立て時においてトレー２０の側面に底板２１の一部が突き出るようにした脚部が形成される。
【符号の説明】
【００３９】
１０  スリーブ
１１  底パネル
１２  横パネル
１２ａ  切欠
１３  上パネル
１４  横パネル
１４ａ  切欠
１５  内側底パネル
１６  切欠部
１６ａ  段差係止部
１７  孔
１８  折返し片
２０  トレー
２１  底板
２２  側板
２２ａ  切欠
２２ｂ  脚部
２３  フラップ
２４  端板
２４ａ  出っ張り部分
２５  折返し片
２６  端板
２７  折返し片
２８  延長片
２９  折込みフラップ
α  切抜き
β  切込み
【図１】
2014055010.tif 000003
【図２】
2014055010.tif 000004
【図３】
2014055010.tif 000005
【図４】
2014055010.tif 000006
【図５】
2014055010.tif 000007
【図６】
2014055010.tif 000008